(57)【要約】【課題】橋梁に設置される支承の維持管理を効率良く行うことができるシステムを提供すること。【解決手段】橋梁の上部構造と下部構造との間に設置される多数の支承に個別に取り付けられ、それぞれの支承に固有の識別番号が登録されたＩＣタグ１０と、ＩＣタグ１０に登録された識別番号に対応する支承毎の設計・製作情報等の基本情報及び維持管理情報が格納されたデータベースサーバ１１と、ＩＣタグ１０に登録された識別番号を読み込むとともに、データベースサーバ１１と通信網を介して通信することにより、データベースサーバ１１から当該識別番号に対応する支承の基本情報及び維持管理情報を読み込んで表示し、また当該識別番号に対応する支承の追加維持管理情報を入力しデータベースサーバ１１に送信する携帯端末１２とを備えている。【選択図】図１
2018193736.tif 000002
【特許請求の範囲】
【請求項１】
橋梁の上部構造と下部構造との間に設置される多数の支承に個別に取り付けられ、それぞれの支承に固有の識別番号が登録されたＩＣタグと、
前記ＩＣタグに登録された識別番号に対応する支承毎の設計・製作情報等の基本情報及び維持管理情報が格納されたデータベースサーバと、
前記ＩＣタグに登録された識別番号を読み込むとともに、前記データベースサーバと通信網を介して通信することにより、前記データベースサーバから当該識別番号に対応する支承の基本情報及び維持管理情報を読み込んで表示し、また当該識別番号に対応する支承の追加維持管理情報を入力し前記データベースサーバに送信する携帯端末と
を備えていることを橋梁用支承の維持管理システム。
【発明の詳細な説明】
【技術分野】
【０００１】
この発明は、橋梁用支承の維持管理システムに関する。
【背景技術】
【０００２】
橋梁を構成する部材として、上部構造と下部構造との間に設置される支承が知られている。支承は鋼製支承とゴム支承に大別されるが、いずれも狭隘で劣悪な空間に設置されることによる腐蝕、地震時に作用する大きな応力による割れ、破損、破断等の損傷を受けやすい。
【０００３】
このようなことから、支承の設置後は定期的に点検し、必要があれば補修をするという維持管理が行われている。従来、支承の点検にあたっては、作業員が支承設置箇所に出向き、その際には当該支承の設計・製作情報が記載された紙の図書を持参し、それと照合しながら点検を行っている。しかしながら、事務所等に保管された当該支承に対応した図書を探し、持参するのは煩わしく、さらに点検後の管理報告書作成も紙の文書で行っているので事務作業の効率が良くない。
【０００４】
特許文献１にはＩＣタグを用いてコンクリート構造物の劣化を効率的に検知できるようにした構造物劣化検知システムが開示されている。しかしながら、この先行技術文献記載のシステムは構造物の劣化検知に止まり、構造物の設計段階から維持管理段階までの情報を確認することはできない。
【先行技術文献】
【特許文献】
【０００５】
【特許文献１】特開２００６−１０５８２０号公報
【発明の概要】
【発明が解決しようとする課題】
【０００６】
この発明は上記のような技術的背景に基づいてなされたものであって、次の目的を達成するものである。
この発明の目的は、橋梁に設置される支承の維持管理を効率良く行うことができるシステムを提供することにある。
【課題を解決するための手段】
【０００７】
この発明は上記課題を達成するために、次のような手段を採用している。
すなわち、この発明は、橋梁の上部構造と下部構造との間に設置される多数の支承に個別に取り付けられ、それぞれの支承に固有の識別番号が登録されたＩＣタグと、
前記ＩＣタグに登録された識別番号に対応する支承毎の設計・製作情報等の基本情報及び維持管理情報が格納されたデータベースサーバと、
前記ＩＣタグに登録された識別番号を読み込むとともに、前記データベースサーバと通信網を介して通信することにより、前記データベースサーバから当該識別番号に対応する支承の基本情報及び維持管理情報を読み込んで表示し、また当該識別番号に対応する支承の追加維持管理情報を入力し前記データベースサーバに送信する携帯端末と
を備えていることを橋梁用支承の維持管理システムにある。
【発明の効果】
【０００８】
この発明によれば、支承に個別に当該支承の固有の識別番号が登録されたＩＣタグを取り付け、データベースサーバには識別番号に対応する支承毎の設計・製作情報等の基本情報及び維持管理情報を格納し、携帯端末にＩＣタグに登録された識別番号を読み込むとともに、データベースサーバから当該識別番号に対応する支承の基本情報及び維持管理情報を読み込んで表示し、また追加維持管理情報をデータベースサーバに送信するようにしたので、支承の維持管理を効率良く行うことができる。
【図面の簡単な説明】
【０００９】
【図１】この発明による橋梁用支承の維持管理システムの全体構成を示す図である。
【図２】支承へのＩＣタグの取り付け例を示す図である。
【図３】携帯端末に表示されるトップ画面を例示する図である。
【図４】「支承基本データ」を選択した場合の表示画面を例示する図である。
【図５】「支承点検マニュアル」を選択した場合の表示画面を例示する図である。
【図６】「点検・補修データ」を選択した場合の表示画面を例示する図である。
【図７】「点検ルート案内」を選択した場合の表示画面を例示する図である。
【発明を実施するための形態】
【００１０】
この発明の実施形態を図面を参照しながら以下に説明する。図１は、この発明による橋梁用支承の維持管理システムの全体構成図である。維持管理システムは、ＩＣタグ１０と、データベースサーバ１１と、携帯端末１２とを備える。
【００１１】
図２には橋梁用支承の例として、桁（上部構造）と橋脚又は橋台（下部構造）との間に設置される支承１３が示されている。図示の例では支承１３として、上沓１３ａと下沓１３ｂとの間に積層ゴム１３ｃが配置されたゴム支承が示されている。このような支承１３は複数の橋脚あるいは橋台毎に多数設置される。ＩＣタグ１０は、例えば支承１３の上沓１３ａに取り付けられる。上沓１３ａは鋼製のものであるので、ＩＣタグ１０は金属対応のものが用いられる。
【００１２】
支承１３に取り付けられるＩＣタグ１０には、当該支承１３に固有の識別番号（Ｕコード）が記憶・登録されている。
【００１３】
データベースサーバ１１には、ＩＣタグ１０に登録された固有識別番号に対応した支承毎の設計・製作情報等の基本情報及び維持管理情報が格納されている。基本情報には、例えば、支承形式、ゴム材料（ゴム支承の場合）、製造年月日、全反力（設計値）、死荷重反力（設計値）、常時移動量等の数値データのほか、構造図面等が含まれる。このデータベースサーバー１１は、維持管理を担った会社事務所に設置する据え置き形式でも、クラウド形式でもよい。
【００１４】
携帯端末１２はハードウェアとしてのリーダ／ライタを介さずにＩＣタグ１０に登録された固有識別番号を直接読み込むことが可能なスマートフォーンなどの携帯端末であり、それを実行するためのアプリケーションソフトウェアがインストールされている。端末としてはスマートフォーン以外に、タブレットを用いることもできる。
【００１５】
携帯端末１２は、また、インターネット回線などの回線網を介してデータベースサーバ１１と通信することにより、データベースサーバ１１に格納された固有識別番号に対応する支承の基本情報及び維持管理情報を読み込んで表示可能であり、さらに固有識別番号に対応する支承の追加維持管理情報を入力してデータベースサーバ１１に送信可能であり、それらを実行するためのアプリケーションソフトウェアがインストールされている。
【００１６】
次に、上記のように構成された維持管理システムの動作について説明する。作業員は携帯端末１２を持参して多数設置された支承１３の設置現場に出向く。そして、点検しようとする支承１３に取り付けられたＩＣタグ１０の固有識別番号を携帯端末１２に読み込むと、携帯端末１２には、例えば図３に示すような「支承管理システム」のメインメニュー画面（トップ画面）が表示される。操作メニューとしては、例えば「支承基本データ」、「支承点検マニュアル」、「点検・補修データ」、「点検ルート案内」、「データ送信」が含まれる。
【００１７】
ここで、トップ画面の「支承基本データ」をタップして（スマートフォーンやタブレットの場合、以下同じ）選択すると、携帯端末１２はデータベースサーバ１１にアクセスして、図４（ａ）に示すように、当該支承１３の「支承基本データ」すなわち固有識別番号（Ｕコード）のほか、支承形式、ゴム材料（ゴム支承の場合）、製造年月日、全反力（設計値）、死荷重反力（設計値）、常時移動量等が表示される。そして、「支承基本データ」画面で「支承構造図」をタップすると、当該識別番号に対応した支承の設計情報を読み込み、携帯端末１２には同図（ｂ）に示すように当該支承の「支承構造図」が表示される。
【００１８】
また、図３に示したトップ画面の「支承点検マニュアル」を選択すると、携帯端末１２はデータベースサーバ１１にアクセスして当該識別番号に対応した支承の点検マニュアルを読み込み、携帯端末１２には図５に示すように当該支承の「点検ポイント」が表示される。
【００１９】
さらに、図３に示したトップ画面の「点検・補修データ」を選択すると、携帯端末１２はデータベースサーバ１１にアクセスして当該識別番号に対応した支承の維持管理情報を読み込み、携帯端末１２には図６（ａ）に示すように当該支承の点検・補修に関するメニュー画面が表示される。そして、「点検・補修履歴」メニューを選択すると、携帯端末１２には同図（ｂ）に示すように、当該支承１３の点検・補修履歴（年月日、判定、写真、補修の有無）が表示される。
【００２０】
作業員は上記のような「支承基本データ」、「支承構造図」、「点検ポイント」、「点検・補修履歴」を把握したうえで、当該支承１３の点検をすることになる。当該支承の点検を終えた後、図６（ａ）の「点検・補修データ」画面で「点検結果入力」を選択すると、携帯端末１２には同図（ｃ）に示すような「点検結果入力」画面が表示される。
【００２１】
点検結果の入力画面には、例えば、道路橋定期点検要領（平成２６年国土交通省道路局）に準拠した判定区分が入力フォーマットとして採用される。この判定区分は、I：健全（構造物の機能に支障が生じていない状態）、II：予防保全段階（構造物の機能に支障が生じていないが、予防保全の観点から措置を講ずることが望ましい状態）、III：早期措置段階（構造物の機能に支障が生じる可能性があり、早期に措置を講ずべき状態）、IV：緊急措置段階（構造物の機能に支障が生じている、又は生じる可能性が著しく高く、緊急に措置を講ずべき状態）の４つの区分からなり、「点検結果入力」画面にはこれらの判定区分がチェックボックスとともに表示される。
【００２２】
支承１３の点検を終えた作業員は当該支承の点検結果が判定区分I〜IVのいずれに該当するかを判断し、その判定区分に対応するチェックボックスにチェックを入れる。また、「点検結果入力」画面には写真の取込欄も設けられ、作業員は例えば携帯端末１２に内蔵されたカメラで撮影した写真を取り込む。そして、図３に示したトップ画面に戻り、「データ送信」を選択する。これにより、当該支承の点検結果（判定区分及び写真）は追加維持管理情報としてデータベースサーバ１１に送信され、維持管理情報に書き加えられる。
【００２３】
なお、この実施形態ではデータベースサーバ１１には支承毎に点検ルート案内図が格納されており、図３のトップ画面で「点検ルート案内」を選択すると、図７に示すように当該支承に関連した点検ルートが表示される。
【００２４】
以上のように、この発明によれば、支承１３に個別に当該支承の固有の識別番号が登録されたＩＣタグ１０を取り付け、データベースサーバ１１には識別番号に対応した支承１３毎の基本情報及び維持管理情報を格納し、携帯端末１２にＩＣタグ１０に登録された識別番号を読み込むとともに、データベースサーバ１１から当該識別番号に対応する支承の基本情報及び維持管理情報を読み込んで表示し、また追加維持管理情報をデータベースサーバに送信するようにしたので、支承の維持管理を効率良く行うことができる。
【符号の説明】
【００２５】
１０：ＩＣタグ
１１：データベースサーバ
１２：携帯端末
１３：橋梁用支承（ゴム支承）
１３ａ：上沓
【図１】
2018193736.tif 000003
【図２】
2018193736.tif 000004
【図３】
2018193736.tif 000005
【図４】
2018193736.tif 000006
【図５】
2018193736.tif 000007
【図６】
2018193736.tif 000008
【図７】
2018193736.tif 000009